(57)【特許請求の範囲】
【請求項１】
ネットワークを介して、他のプリンタを接続されたプリンタであって、
受信者を識別する受信者識別番号が付加されたプリントジョブを受信する受信手段と、
前記受信手段で受信した前記受信者識別番号に基づいて、受信したプリントジョブを他のプリンタヘ転送するか、自身のプリンタに出力するかを判断する検査部と、
前記検査部が前記プリントジョブを自身のプリンタに出力すると判断したとき、前記プリントジョブに基づいて画像形成を行うプリント部と、
前記検査部が前記プリントジョブを他のプリンタヘ転送すると判断したとき、前記受信者識別番号に基づいた他のプリンタヘ、前記プリントジョブを転送するプリントジョブ転送部とを有するプリンタ。
【請求項２】
前記検査部は、受信者識別番号と受信したプリントジョブを他のプリンタヘ転送するか、自身のプリンタに出力するかを示す転送情報とを互いに対応付けられた制御情報テーブルを参照して、前記受信者識別番号に基づいて、受信したプリントジョブを他のプリンタヘ転送するか、自身のプリンタに出力するかを判断することを特徴とする請求項１に記載のプリンタ。
【請求項３】
受信者識別番号と転送先のプリンタの識別番号とを互いに対応付けられた制御情報テーブルを参照して、前記受信者識別番号に基づいて、転送先のプリンタを特定する手段を有することを特徴とする請求項１又は２に記載のプリンタ。
【請求項４】
受信者識別番号と、受信したプリントジョブを他のプリンタヘ転送するか、自身のプリンタへ出力するかを示す転送情報と、転送先のプリンタの識別番号と、を互いに対応付けられた制御情報テーブルを記憶する記億部と、
前記制御情報テーブルを参照して、前記受信者識別番号に基づいて、転送先のプリンタを特定する手段と、を有し、
前記検査部は、記憶部に記憶された制御情報テーブルを参照して、前記受信者識別番号に基づいて、受信したプリントジョブを他のプリンタヘ転送するか、自身のプリンタに出力するかを判断することを特徴とする請求項１に記載のプリンタ。
【請求項５】
前記記憶部の記憶内容を入力するパネル部を有することを特徴とする請求項４に記載のプリンタ。
【請求項６】
前記記憶部の記憶内容は、ネットワークを介して接続されたパーソナルコンピュータから変更可能であることを特徴とする請求項４又は５に記載のプリンタ。
【請求項７】
ネットワークを介して、他のプリンタを接続されたプリンタであって、
受信者を識別する受信者識別番号が付加されたプリントジョブを受信する受信手段と、
前記受信手段で受信した前記受信者識別番号に基づいて、受信した前記プリントジョブを他のプリンタヘ転送するか、否かを判断する検査部と、
前記受信手段で受信した前記受信者識別番号に基づいて、転送先のプリンタを特定する手段と、
前記特定された転送先のプリンタヘ、前記プリントジョブを転送するプリントジョブ転送部とを有するプリンタ。
【請求項８】
前記検査部は、前記受信手段で受信した前記受信者識別番号に基づいて、受信したプリントジョブを他のプリンタヘ転送するか、自身のプリンタに出力するかを判断し、
前記プリンタは、前記検査部が前記プリントジョブを自身のプリンタに出力すると判断したとき、前記プリントジョブに基づいて画像形成を行うプリント部を有することを特徴とする請求項７に記載のプリンタ。
【請求項９】
前記検査部は、受信者識別番号と受信したプリントジョブを他のプリンタヘ転送するか、自身のプリンタに出力するかを示す転送情報とを互いに対応付けられた制御情報テーブルを参照して、前記受信者識別番号に基づいて、受信したプリントジョブを他のプリンタヘ転送するか、自身のプリンタに出力するかを判断することを特徴とする請求項８に記載のプリンタ。
【請求項１０】
前記転送先のプリンタを特定する手段は、受信者識別番号と転送先のプリンタの識別番号とを互いに対応付けられた制御情報テーブルを参照して、前記受信者識別番号に基づいて、転送先のプリンタを特定することを特徴とする請求項７乃至９のいずれか一つに記載のプリンタ。
【請求項１１】
受信者識別番号と、受信したプリントジョブを他のプリンタヘ転送するか、自身のプリンタに出力するかを示す転送情報と、転送先のプリンタの識別番号と、を互いに対応付けられた制御情報テーブルを記憶する記億部を有し、
前記検査部は、前記記憶部に記憶された制御情報テーブルを参照して、前記受信者識別番号に基づいて、受信したプリントジョブを他のプリンタヘ転送するか、自身のプリンタに出力するかを判断し、
前記転送先のプリンタを特定する手段は、受信者識別番号と転送先のプリンタの識別番号とを互いに対応付けられた制御情報テー−ブルを参照して、前記受信者識別番号に基づいて、転送先のプリンタを特定することを特徴とする請求項７又は８に記載のプリンタ。
【請求項１２】
前記記憶部の記憶内容を入力するパネル部を有することを特徴とする請求項１１に記載のプリンタ。
【請求項１３】
前記記憶部の記憶内容は、ネットワークを介して接続されたパーソナルコンピュータから変更可能であることを特徴とする請求項１１又は１２に記載のプリンタ。
【請求項１４】
受信者識別番号が付加されたプリントジョブを受信し、受信した前記プリントジョブを他のプリンタヘ転送するプリンタに対して転送先を設定する方法において、
受信者を識別する受信者識別番号を入力するステップと、
受信したプリントジョブを他のプリンタヘ転送するか、自身のプリンタに出力するかを示す転送情報を入力するステップと、
受信者識別番号に対応付けて前記プリンタの識別番号を入力するステップと、
前記入力された受信者識別番号と、前記入力された転送情報と、前記入力されたプリンタの識別番号とを登録するステップと、
を有する制御情報テーブル設定方法。
【請求項１５】
ネットワークを介して、他のプリンタを接続されたプリンタの動作方法であって、
受信者を識別する受信者識別番号が付加されたプリントジョブを受信する受信ステップと、
前記受信ステップで受信した前記受信者識別番号に基づいて、受信した前記プリントジョブを他のプリンタヘ転送するか、否かを判断する検査ステップと、
前記受信ステップで受信した前記受信者識別番号に基づいて、転送先のプリンタを特定するステップと、
前記特定された転送先のプリンタヘ、前記プリントジョブを転送するプリントジョブ転送ステップとを有するプリンタの動作方法。
【請求項１６】
前記検査ステップでは、前記受信ステップで受信した前記受信者識別番号に基づいて、受信したプリントジョブを他のプリンタヘ転送するか、自身のプリンタに出力するかを判断し、
前記検査ステップで前記プリントジョブを自身のプリンタに出力すると判断したとき、前記プリントジョブに基づいて画像形成を行うプリントステップを有することを特徴とする請求項１５に記載のプリンタの動作方法。
【請求項１７】
前記検査ステップでは、受信者識別番号と受信したプリントジョブを他のプリンタヘ転送するか、自身のプリンタに出力するかを示す転送情報とを互いに対応付けられた制御情報テーブルを参照して、前記受信者識別番号に基づいて、受信したプリントジョブを他のプリンタヘ転送するか、自身のプリンタに出力するかを判断することを特徴とする請求項１６に記載のプリンタの動作方法。
【請求項１８】
前記転送先のプリンタを特定するステップでは、受信者識別番号と転送先のプリンタの識別番号とを互いに対応付けられた制御情報テーブルを参照して、前記受信者識別番号に基づいて、転送先のプリンタを特定することを特徴とする請求項１５乃至１７のいずれか一つに記載のプリンタの動作方法。
【請求項１９】
前記プリンタは、受信者識別番号と、受信したプリントジョブを他のプリンタヘ転送するか、自身のプリンタに出力するかを示す転送情報と、転送先のプリンタの識別番号と、を互いに対応付けられた制御情報テーブルを記憶する記億部を有し、
前記検査ステップでは、前記記憶部に記憶された制御情報テーブルを参照して、前記受信者識別番号に基づいて、受信したプリントジョブを他のプリンタヘ転送するか、自身のプリンタに出力するかを判断し、
前記転送先のプリンタを特定するステップでは、受信者識別番号と転送先のプリンタの識別番号とを互いに対応付けられた制御情報テー−ブルを参照して、前記受信者識別番号に基づいて、転送先のプリンタを特定することを特徴とする請求項１５又は１６に記載のプリンタの動作方法。
【請求項２０】
前記記憶部の記憶内容がパネル部を介して入力されることを特徴とする請求項１９に記載のプリンタの動作方法。
【請求項２１】
前記記憶部の記憶内容は、ネットワークを介して接続されたパーソナルコンピュータから変更可能であることを特徴とする請求項１９又は２０に記載のプリンタの動作方法。
【発明の詳細な説明】
【０００１】
【発明の属する技術分野】
この発明は、ネットワークに接続されたプリンタ及びその動作方法に関する。
また、この発明は、そのようなプリンタに含まれた制御情報テーブルの内容を設定する制御情報テーブル設定方法に関する。
【０００２】
【従来の技術および発明が解決しようとする課題】
一般的に言って、パーソナルコンピュータの周辺機器として用いられるプリンタの印字品質は、ファクシミリ装置の印字品質よりも優れている。
【０００３】
しかしながら、現状のプリンタは、受信したデータを単に紙に印刷するだけのために用いられていることが多く、ファクシミリ装置のようにドキュメントを送信又は配布するために活用されているとは言い難い。
【０００４】
そこで、この発明の目的は、ネットワークに接続されたプリンタであって、受信したプリントジョブを上記ネットワーク上の別のプリンタへ転送することができるものを提供することにある。
また、この発明の目的は、そのようなプリンタに含まれた制御情報テーブルの内容を設定する制御情報テーブル設定方法を提供することにある。
また、この発明の目的は、そのようなプリンタの動作方法を提供することにある。
【０００５】
【課題を解決するための手段】
上記目的を達成するため、この発明のプリンタは、ネットワークを介して、他のプリンタを接続されたプリンタであって、
受信者を識別する受信者識別番号が付加されたプリントジョブを受信する受信手段と、
前記受信手段で受信した前記受信者識別番号に基づいて、受信したプリントジョブを他のプリンタヘ転送するか、自身のプリンタに出力するかを判断する検査部と、
前記検査部が前記プリントジョブを自身のプリンタに出力すると判断したとき、前記プリントジョブに基づいて画像形成を行うプリント部と、
前記検査部が前記プリントジョブを他のプリンタヘ転送すると判断したとき、前記受信者識別番号に基づいた他のプリンタヘ、前記プリントジョブを転送するプリントジョブ転送部とを有する。
この発明のプリンタによれば、受信したプリントジョブを上記ネットワーク上の別のプリンタへ転送することができる。
【０００６】
一実施形態のプリンタでは、前記検査部は、受信者識別番号と受信したプリントジョブを他のプリンタヘ転送するか、自身のプリンタに出力するかを示す転送情報とを互いに対応付けられた制御情報テーブルを参照して、前記受信者識別番号に基づいて、受信したプリントジョブを他のプリンタヘ転送するか、自身のプリンタに出力するかを判断することを特徴とする。
一実施形態のプリンタでは、受信者識別番号と転送先のプリンタの識別番号とを互いに対応付けられた制御情報テーブルを参照して、前記受信者識別番号に基づいて、転送先のプリンタを特定する手段を有することを特徴とする。
一実施形態のプリンタでは、受信者識別番号と、受信したプリントジョブを他のプリンタヘ転送するか、自身のプリンタへ出力するかを示す転送情報と、転送先のプリンタの識別番号と、を互いに対応付けられた制御情報テーブルを記憶する記億部と、
前記制御情報テーブルを参照して、前記受信者識別番号に基づいて、転送先のプリンタを特定する手段と、を有し、
前記検査部は、記憶部に記憶された制御情報テーブルを参照して、前記受信者識別番号に基づいて、受信したプリントジョブを他のプリンタヘ転送するか、自身のプリンタに出力するかを判断することを特徴とする。
一実施形態のプリンタでは、前記記憶部の記憶内容を入力するパネル部を有することを特徴とする。この一実施形態のプリンタでは、オペレータはこのプリンタの設置場所で、上記パネル部を通して、上記記憶部の記憶内容を簡単に書き込み、書き換え又は消去することができる。
一実施形態のプリンタでは、前記記憶部の記憶内容は、ネットワークを介して接続されたパーソナルコンピュータから変更可能であることを特徴とする。この一実施形態のプリンタでは、オペレータは上記パーソナルコンピュータの設置場所で、上記パーソナルコンピュータを通して、上記プリンタの上記記憶部の記憶内容を簡単に書き込み、書き換え又は消去することができる。
【０００７】
別の局面では、この発明のプリンタは、ネットワークを介して、他のプリンタを接続されたプリンタであって、
受信者を識別する受信者識別番号が付加されたプリントジョブを受信する受信手段と、
前記受信手段で受信した前記受信者識別番号に基づいて、受信した前記プリントジョブを他のプリンタヘ転送するか、否かを判断する検査部と、
前記受信手段で受信した前記受信者識別番号に基づいて、転送先のプリンタを特定する手段と、
前記特定された転送先のプリンタヘ、前記プリントジョブを転送するプリントジョブ転送部とを有する。
この発明のプリンタによれば、受信したプリントジョブを上記ネットワーク上の別のプリンタへ転送することができる。
【０００８】
一実施形態のプリンタでは、前記検査部は、前記受信手段で受信した前記受信者識別番号に基づいて、受信したプリントジョブを他のプリンタヘ転送するか、自身のプリンタに出力するかを判断し、
前記プリンタは、前記検査部が前記プリントジョブを自身のプリンタに出力すると判断したとき、前記プリントジョブに基づいて画像形成を行うプリント部を有することを特徴とする。
一実施形態のプリンタでは、前記検査部は、受信者識別番号と受信したプリントジョブを他のプリンタヘ転送するか、自身のプリンタに出力するかを示す転送情報とを互いに対応付けられた制御情報テーブルを参照して、前記受信者識別番号に基づいて、受信したプリントジョブを他のプリンタヘ転送するか、自身のプリンタに出力するかを判断することを特徴とする。
一実施形態のプリンタでは、前記転送先のプリンタを特定する手段は、受信者識別番号と転送先のプリンタの識別番号とを互いに対応付けられた制御情報テーブルを参照して、前記受信者識別番号に基づいて、転送先のプリンタを特定することを特徴とする。
一実施形態のプリンタでは、受信者識別番号と、受信したプリントジョブを他のプリンタヘ転送するか、自身のプリンタに出力するかを示す転送情報と、転送先のプリンタの識別番号と、を互いに対応付けられた制御情報テーブルを記憶する記億部を有し、
前記検査部は、前記記憶部に記憶された制御情報テーブルを参照して、前記受信者識別番号に基づいて、受信したプリントジョブを他のプリンタヘ転送するか、自身のプリンタに出力するかを判断し、
前記転送先のプリンタを特定する手段は、受信者識別番号と転送先のプリンタの識別番号とを互いに対応付けられた制御情報テー−ブルを参照して、前記受信者識別番号に基づいて、転送先のプリンタを特定することを特徴とする。
一実施形態のプリンタでは、前記記憶部の記憶内容を入力するパネル部を有することを特徴とする。この一実施形態のプリンタでは、オペレータはこのプリンタの設置場所で、上記パネル部を通して、上記記憶部の記憶内容を簡単に書き込み、書き換え又は消去することができる。
一実施形態のプリンタでは、前記記憶部の記憶内容は、ネットワークを介して接続されたパーソナルコンピュータから変更可能であることを特徴とする。この一実施形態のプリンタでは、オペレータは上記パーソナルコンピュータの設置場所で、上記パーソナルコンピュータを通して、上記プリンタの上記記憶部の記憶内容を簡単に書き込み、書き換え又は消去することができる。
【０００９】
この発明の制御情報テーブル設定方法は、受信者識別番号が付加されたプリントジョブを受信し、受信した前記プリントジョブを他のプリンタヘ転送するプリンタに対して転送先を設定する方法において、
受信者を識別する受信者識別番号を入力するステップと、
受信したプリントジョブを他のプリンタヘ転送するか、自身のプリンタに出力するかを示す転送情報を入力するステップと、
受信者識別番号に対応付けて前記プリンタの識別番号を入力するステップと、
前記入力された受信者識別番号と、前記入力された転送情報と、前記入力されたプリンタの識別番号とを登録するステップと、
を有する。
この発明の制御情報テーブル設定方法によれば、上述のようなプリンタに含まれた制御情報テーブルの内容を設定することができる。
【００１０】
この発明のプリンタの動作方法は、ネットワークを介して、他のプリンタを接続されたプリンタの動作方法であって、
受信者を識別する受信者識別番号が付加されたプリントジョブを受信する受信ステップと、
前記受信ステップで受信した前記受信者識別番号に基づいて、受信した前記プリントジョブを他のプリンタヘ転送するか、否かを判断する検査ステップと、
前記受信ステップで受信した前記受信者識別番号に基づいて、転送先のプリンタを特定するステップと、
前記特定された転送先のプリンタヘ、前記プリントジョブを転送するプリントジョブ転送ステップとを有する。
この発明のプリンタの動作方法によれば、上述のようなプリンタに、受信したプリントジョブを上記ネットワーク上の別のプリンタへ転送させることができる。
一実施形態のプリンタの動作方法は、前記検査ステップでは、前記受信ステップで受信した前記受信者識別番号に基づいて、受信したプリントジョブを他のプリンタヘ転送するか、自身のプリンタに出力するかを判断し、
前記検査ステップで前記プリントジョブを自身のプリンタに出力すると判断したとき、前記プリントジョブに基づいて画像形成を行うプリントステップを有することを特徴とする。
一実施形態のプリンタの動作方法は、前記検査ステップでは、受信者識別番号と受信したプリントジョブを他のプリンタヘ転送するか、自身のプリンタに出力するかを示す転送情報とを互いに対応付けられた制御情報テーブルを参照して、前記受信者識別番号に基づいて、受信したプリントジョブを他のプリンタヘ転送するか、自身のプリンタに出力するかを判断することを特徴とする。
一実施形態のプリンタの動作方法は、前記転送先のプリンタを特定するステップでは、受信者識別番号と転送先のプリンタの識別番号とを互いに対応付けられた制御情報テーブルを参照して、前記受信者識別番号に基づいて、転送先のプリンタを特定することを特徴とする。
一実施形態のプリンタの動作方法では、前記プリンタは、受信者識別番号と、受信したプリントジョブを他のプリンタヘ転送するか、自身のプリンタに出力するかを示す転送情報と、転送先のプリンタの識別番号と、を互いに対応付けられた制御情報テーブルを記憶する記億部を有し、
前記検査ステップでは、前記記憶部に記憶された制御情報テーブルを参照して、前記受信者識別番号に基づいて、受信したプリントジョブを他のプリンタヘ転送するか、自身のプリンタに出力するかを判断し、
前記転送先のプリンタを特定するステップでは、受信者識別番号と転送先のプリンタの識別番号とを互いに対応付けられた制御情報テー−ブルを参照して、前記受信者識別番号に基づいて、転送先のプリンタを特定することを特徴とする。
一実施形態のプリンタの動作方法では、前記記憶部の記憶内容がパネル部を介して入力されることを特徴とする。
一実施形態のプリンタの動作方法では、前記記憶部の記憶内容は、ネットワークを介して接続されたパーソナルコンピュータから変更可能であることを特徴とする。
【００１１】
【発明の実施の形態】
以下、この発明のプリンタコントローラの実施の形態を詳細に説明する。
【００１２】
図１は、一実施形態のプリンタコントローラ（以下、単に「コントローラ」という。）を搭載したプリンタ２がネットワーク５に接続された状態を示している。この例では、ネットワーク５には、上記プリンタ２の他に、パーソナルコンピュータ１と、一般的な公知のプリンタ３，４とが接続されている。
【００１３】
図２に示すように、プリンタ２の本体１１には、コントローラ１２と、オペレータが各種情報や指示を入力するための操作パネル１３と、プリント動作を行うプリンタ部１５とが搭載されるとともに、印字用の用紙を収容した給紙カセット１４が着脱自在に収容されている。また、本体１１の側部には、複数の排紙トレイ（ソートビン）２１，…，２５が設けられている。
【００１４】
上記コントローラ１２は、受信者ＩＤ検査部１７、転送先プリンタ検索部１８およびプリントジョブ転送部１９を有するプリントジョブ転送制御部１６と、データを一時記憶する記憶部としてのＲＡＭ（ランダム・アクセス・メモリ）２０とを備えている。
【００１５】
ＲＡＭ２０には、図５に示すように、「１」「２」「３」「４」…のような受信者ＩＤ（識別番号）と、転送情報であるプリントジョブの処理方法と、ノードＩＤとを互いに対応づける制御情報テーブル６０が格納されている。プリントジョブの処理方法とは、特定の受信者ＩＤが付加されたプリントジョブを上記ネットワーク５上の別のプリンタ３，４へ転送するか、または内蔵プリンタ部１５に印字出力するかの別を表している。この例では、受信者ＩＤ「１」または「３」は「内蔵プリンタ部に印字出力する」に対応し、受信者ＩＤ「２」または「４」はネットワーク５上の「別のプリンタへ転送」に対応する。また、ノードＩＤは、転送先のプリンタを識別するための識別番号である。分かるように、ノードＩＤは上記プリントジョブの処理方法が「別のプリンタへ転送」である場合にのみ定められている。この例では、「ＡＡＡ．ＢＢＢ．ＣＣＣ．ＤＤＤ」は図１中に示したプリンタ３のノードＩＤを表し、「ＥＥＥ．ＦＦＦ．ＧＧＧ．ＨＨＨ」はプリンタ４のノードＩＤを表している。
【００１６】
図２中に示す受信者ＩＤ検査部１７は、コントローラ１２がネットワーク５を介して特定の受信者ＩＤが付加されたプリントジョブを受信したとき、上記ＲＡＭ２０に記憶された制御情報テーブル６０を参照して、その特定の受信者ＩＤに基づいて、そのプリントジョブをネットワーク５上の別のプリンタへ転送するか、または内蔵プリンタ部１５に出力するかの、いずれの処理方法をとるかを判断する。
【００１７】
転送先プリンタ検索部１８は、上記受信者ＩＤ検査部１７が上記プリントジョブを「別のプリンタへ転送」すると判断したとき、上記ＲＡＭ２０の制御情報テーブル６０を参照して、その受信者ＩＤに対応するノードＩＤに基づいて、上記ネットワーク５上の転送先のプリンタを検索する。
【００１８】
プリントジョブ転送部１９は、上記転送先プリンタ検索部１８が検索した転送先のプリンタへ上記ネットワーク５を介して上記プリントジョブを転送する。
【００１９】
これらの受信者ＩＤ検査部１７、転送先プリンタ検索部１８およびプリントジョブ転送部１９の機能は、具体的にはＣＰＵ（中央演算処理装置）によって実現される。
【００２０】
内蔵プリンタ部１５はコントローラ１２から印字出力を受けたとき、給紙カセット１４から供給された用紙に画像形成を行って、その画像形成後の用紙（プリント）を受信者ＩＤに対応する排紙トレイ２１，…，２５上へ排出する。排紙トレイ２１，２２，２３，…はそれぞれ受信者ＩＤ「１」「２」「３」，…に対応づけられている。
【００２１】
操作パネル１３の受信者ＩＤ別処理方法指定部２９は、オペレータによるキー入力に応じて、上記ＲＡＭ２０内の制御情報テーブル６０の内容を書き込み、書き換え又は消去するために働く。なお、この制御情報テーブル６０の内容は、後述するパーソナルコンピュータ１のユーティリティプログラム３５によっても書き込み等することができる。
【００２２】
図３に示すように、パーソナルコンピュータ１の本体３１には、受信者ＩＤ付加部４１として働くプリンタドライバ３４と、受信者ＩＤ別処理方法指定部４２として働くユーティリティプログラム３５と、データを一時記憶するＲＡＭ（ランダム・アクセス・メモリ）３６とが搭載されている。また、本体３１には、オペレータが各種情報や指示をキー入力するためのキーボード３２と、本体３１側から受けた画像データを表示するディスプレイ３３とが付設されている。キーボード３２からの入力に応じて、受信者ＩＤ付加部４１は、プリント動作の内容を指示するプリントジョブに、「１」「２」「３」「４」…のような受信者ＩＤを付加する。受信者ＩＤが付加されたプリントジョブは、キーボード３２からの指示に応じてネットワーク５を介してプリンタ２へ送信されるようになっている。また、受信者ＩＤ別処理方法指定部４２は、キーボード３２におけるオペレータによるキー入力に応じて、ネットワーク５を介して上記プリンタ２のＲＡＭ２０内の制御情報テーブル６０の内容を書き込み、書き換え又は消去するために働く。ユーティリティプログラム３５の動作中、ディスプレイ３３上には図４に例示するような画面が表示される。この例示の画面は、オペレータが受信者ＩＤとして「２」を入力したときに呼び出されたものであり、受信者ＩＤ「２」に対応するプリントジョブ処理方法として、キー５１，５２にそれぞれ並んで表示された「内蔵プリンタ部に印字出力」、「ネットワーク上の別のプリンタへ転送」のいずれか一方を図示しないマウスによってクリック（指定）するようになっている。この例では、受信者ＩＤ「２」に対応するプリントジョブ処理方法として「ネットワーク上の別のプリンタへ転送」が採用されている（キー５２の箇所の「×」印がそのことを表している。）。転送先のプリンタを識別するためのノードＩＤとしては、プリンタ３を表す「ＡＡＡ．ＢＢＢ．ＣＣＣ．ＤＤＤ」が入力されている。制御情報テーブル６０にこの内容を書き込む（又は書き換える）場合はオペレータは更新キー５３をクリックする。なお、表示内容を消去したい場合はキャンセルキー５４をクリックすれば良い。
【００２３】
さて、上記プリンタ２は、コントローラ１２の制御によって図６に示すフローに従って動作する。
【００２４】
ｉ）まず、図１中に示したパーソナルコンピュータ１が、特定の受信者ＩＤが付加されたプリントジョブをプリンタ２へ送信するものとする。これにより、図２中に示したコントローラ１２のプリントジョブ転送制御部１６がネットワーク５を介してそのプリントジョブを受信する（Ｓ１）。
【００２５】
ii）すると、受信者ＩＤ検査部１７が、ＲＡＭ２０内の制御情報テーブル６０（図５）の内容を参照して、その特定の受信者ＩＤに基づいて、そのプリントジョブをネットワーク５上の別のプリンタへ転送するか、または内蔵プリンタ部１５に出力するかの、いずれの処理方法をとるかを判断する（Ｓ２）。例えば、そのプリントジョブに付加された受信者ＩＤが「１」である場合は、受信者ＩＤ検査部１７は、その受信者ＩＤ「１」に対応する「内蔵プリンタ部に印字出力」を採用すると判断する。この判断に基づいて、プリントジョブ転送制御部１６は、そのプリントジョブを内蔵プリンタ部１５に出力する（Ｓ３）。この結果、内蔵プリンタ部１５はプリントジョブを実行する（Ｓ４）。すなわち、給紙カセット１４から送り出された用紙に画像形成を行って、得られたプリントを受信者ＩＤ「１」に対応するソートビン２１上へ排出する。
【００２６】
また、受信したプリントジョブに付加された受信者ＩＤが「３」である場合は、その受信者ＩＤ「３」に対応する「内蔵プリンタ部に印字出力」を採用すると判断され、同様の手順で、得られたプリントが受信者ＩＤ「３」に対応するソートビン２３上へ排出される（Ｓ３，Ｓ４）。
【００２７】
iii）一方、受信したプリントジョブに付加された受信者ＩＤが例えば「２」である場合は、受信者ＩＤ検査部１７は、その受信者ＩＤ「２」に対応する「ネットワーク上の別のプリンタへ転送」を採用すると判断する。この判断に基づいて、転送先プリンタ検索部１８は、ＲＡＭ２０内の制御情報テーブル６０の内容を参照して、その受信者ＩＤに対応するノードＩＤに基づいて、ネットワーク５上の転送先のプリンタを検索する（Ｓ５）。この例では、受信者ＩＤ「２」に対応するノードＩＤは「ＡＡＡ．ＢＢＢ．ＣＣＣ．ＤＤＤ」であるから、転送先のプリンタとして図１中に示したプリンタ３を特定する。続いて、プリントジョブ転送部１９は、転送先プリンタ検索部１８が検索した転送先のプリンタ３へネットワーク５を介して上記プリントジョブを転送する（Ｓ６）。そして、プリンタ３は受信したプリントジョブを実行し、得られたプリントを排紙トレイ６１上に排出する。
【００２８】
また、受信したプリントジョブに付加された受信者ＩＤが「４」である場合は、その受信者ＩＤ「４」に対応する「ネットワーク上の別のプリンタへ転送」を採用すると判断される。受信者ＩＤ「４」に対応するノードＩＤは「ＥＥＥ．ＦＦＦ．ＧＧＧ．ＨＨＨ」であるから、転送先のプリンタとしてプリンタ４が特定される。そして、プリンタ４が受信したプリントジョブを実行し、得られたプリントが排紙トレイ６２上に排出される。
【００２９】
このように、プリンタ２に本発明を適用したコントローラ１２を搭載しているので、受信したプリントジョブをネットワーク５上の別のプリンタへ転送する機能を実現することができる。したがって、例えば受信者ＩＤ「２」をもつユーザが出張等によりプリンタ２の設置場所（例えば本社）に不在の場合、そのユーザ宛の印刷書類をプリンタ３の設置場所（例えば出張先の営業所）でタイムリーに入手することができる。
【００３０】
【発明の効果】
以上より明らかなように、この発明のプリンタによれば、受信したプリントジョブを上記ネットワーク上の別のプリンタへ転送することができる。
【００３１】
また、この発明の制御情報テーブル設定方法によれば、上述のようなプリンタに含まれた制御情報テーブルの内容を設定することができる。
【００３２】
また、この発明のプリンタの動作方法によれば、上述のようなプリンタに、受信したプリントジョブを上記ネットワーク上の別のプリンタへ転送させることができる。
【図面の簡単な説明】
【図１】  この発明の一実施形態のコントローラを搭載したプリンタがネットワークに接続されている状態を示す図である。
【図２】  上記プリンタの構成を示す図である。
【図３】  上記ネットワークに接続されているパーソナルコンピュータの構成を示す図である。
【図４】  上記コントローラの制御情報テーブルに書き込みを行うときのディスプレイ上の表示画面を例示する図である。
【図５】  上記制御情報テーブルの内容を例示する図である。
【図６】  上記コントローラの動作フローを示す図である。
【符号の説明】
１  パーソナルコンピュータ
２，３，４  プリンタ
５  ネットワーク
１２  コントローラ
【図１】
0004199329.tif 000002
【図２】
0004199329.tif 000003
【図３】
0004199329.tif 000004
【図４】
0004199329.tif 000005
【図５】
0004199329.tif 000006
【図６】
0004199329.tif 000007